(57)【特許請求の範囲】
【請求項１】
弾性を有する可撓性材料で形成された平面四角形状の枠体の表面にネットを取付け、前記枠体の傾斜した屋根に配置された下方側を軒先側に固定し、枠体の上方側を屋根の棟側に配置し、この枠体の上方側にロープまたはワイヤーを連結し、この下部側を軒先から垂れ下げて屋根に設置した構成をなし、前記ネット上に積雪した状態で、軒先から垂れ下がったワイヤーまたはロープの下端を引くことにより枠体と一体にネットを引き上げて湾曲させてこの上の雪を巻き込みながら軒下に落下させることを特徴とする屋根雪下ろし装置。
【請求項２】
屋根の棟側に配置された枠体の上方側に立上り部を形成し、ここにワイヤーまたはロープを連結したことを特徴とする請求項１記載の屋根雪下ろし装置。      
【請求項３】
立上り部の左右両側に滑車またはリングを取付けて、軒先側に固定した枠体の下方側に一端を連結したワイヤーまたはロープを前記滑車またはリングを通して折り返し、他端側を軒先から垂れ下げたことを特徴とする請求項２記載の屋根雪下ろし装置。
【請求項４】
軒先の横方向に沿ってパイプを取付けたことを特徴とする請求項１記載の屋根雪下ろし装置。
【請求項５】
弾性を有する可撓性材料で形成された平面四角形状の枠体の表面にネットを取付け、前記枠体の傾斜した屋根に配置された下方側を軒先側に固定し、枠体の上方側を屋根の棟側に配置し、この枠体の上方側にワイヤーまたはロープを連結し、この下部側を軒先から垂れ下げて、谷屋根の両側の屋根にそれぞれ取付け、左右の枠体をヒンジで可動自在に連結したことを特徴とする屋根雪下ろし装置。
【発明の詳細な説明】
【技術分野】
【０００１】
本発明は、屋根雪下ろし装置に関するものである。
【背景技術】
【０００２】
豪雪地帯における屋根の雪下ろしは、 人が積雪した屋根に登り、スコップやスノーダンプを用いて軒下に落している。しかしながらこの人力による雪下ろし作業は、重労働である上、勾配のある屋根上での作業となるので落下の危険がある。特に豪雪地帯では高齢者が多く、屋根に登っての雪下ろし作業は困難であった。
【０００３】
このため機械を用いた屋根の雪下ろし装置も種々提案されているが、例えば屋根の高い位置から低い位置へ向かう傾斜方向に間隔をあけて配置され、前記傾斜方向に垂直でかつ前記屋根に平行な回転軸を有する一対の端部ローラーと、前記傾斜方向に沿って前記一対の端部ローラーに無端状に巻回されるシート材とを備え、屋根を覆うシート材上の積雪の重量によるシート材の撓みを防止し、積雪から受ける荷重によってシート材を移動させてシート材上の積雪を落下させる雪下ろし装置（特許文献１）が提案されている。
【０００４】
しかしながらこのベルトコンベアを複数屋根の上に併設した機械式の雪下ろし装置は、構造が複雑で設備費が高く、屋根に加わる重量も重く、保守作業も面倒な上、屋根の補修や塗装工事などが想定されておらず、シートの上に積もった雪が不意に落下する危険がある。
【０００５】
このため簡易な装置として、屋根の上から軒下の地面近くまでシートを垂らし、シートを手で引き下げてシートの上に積った雪を落下させ、この後シートの上部に連結したロープを引いてシートを屋根の上に戻す除雪装置（特許文献２）も提案されている。しかしながらこの除雪装置は安価であるが、シートの上に積もった雪が不意に落下する危険がある。またシートは地面近くまで垂れ下がって窓が塞がれているので室内が暗く、春になったら解体する必要があり実用的ではない。
【０００６】
このため現状では、依然として危険をおかしながらも屋根に登り、スコップやスノーダンプを用いて人力による雪下ろし作業が行われており、高齢者や女性でも簡単で安全に雪下ろしできる装置の開発が要望されていた。
【先行技術文献】
【特許文献】
【０００７】
【特許文献１】特開２０１４−１９００５３号公報
【特許文献２】特開２０１０−１９００２６号公報
【発明の概要】
【発明が解決しようとする課題】
【０００８】
本発明は上記問題を改善し、構造が簡単でどんな形状の屋根にも設置が可能な上、設備費も安価で耐久性に優れ、屋根に登らずに高齢者や女性でも簡単に雪下ろし作業を効率良く行なえ、しかも雪を保持することにより不意の落雪を防止することができると共に、保守作業も容易で、通年設置が可能な屋根雪下ろし装置を提供するものである。
【課題を解決するための手段】
【０００９】
本発明の請求項１記載の屋根雪下ろし装置は、弾性を有する可撓性材料で形成された平面四角形状の枠体の表面にネットを取付け、前記枠体の傾斜した屋根に配置された下方側を軒先側に固定し、枠体の上方側を屋根の棟側に配置し、この枠体の上方側にワイヤーまたはロープを連結し、この下部側を軒先から垂れ下げて屋根に設置した構成をなし、前記ネット上に積雪した状態で、軒先から垂れ下がったワイヤーまたはロープの下端を引くことにより枠体と一体にネットを引き上げて湾曲させてこの上の雪を巻き込みながら軒下に落下させることを特徴とするものである。
【００１０】
本発明の請求項２記載の屋根雪下ろし装置は、請求項１において、屋根の棟側に配置された枠体の上方側に立上り部を形成し、ここにワイヤーまたはロープを連結したことを特徴とするものである。
【００１１】
本発明の請求項３記載の屋根雪下ろし装置は、請求項２において、立上り部の左右両側に滑車またはリングを取付けて、軒先側に固定した枠体の下方側に一端を連結したワイヤーまたはロープを前記滑車またはリングを通して折り返し、他端側を軒先から垂れ下げたことを特徴とするものである。
【００１２】
本発明の請求項４記載の屋根雪下ろし装置は、請求項１において、軒先の横方向に沿ってパイプを取付けたことを特徴とするものである。
【００１３】
本発明の請求項５記載の屋根雪下ろし装置は、弾性を有する可撓性材料で形成された平面四角形状の枠体の表面にネットを取付け、前記枠体の傾斜した屋根に配置された下方側を軒先側に固定し、枠体の上方側を屋根の棟側に配置し、この枠体の上方側にワイヤーまたはロープを連結し、この下部側を軒先から垂れ下げて、谷屋根の両側の屋根にそれぞれ取付け、左右の枠体をヒンジで可動自在に連結したことを特徴とするものである。
【発明の効果】
【００１４】
本発明に係る請求項１記載の屋根雪下ろし装置によれば、屋根の上に複数併設し、ワイヤーやロープを引くだけで上方側が湾曲して、積もった雪を雪だるま状に巻き込みながら転がして軒先側に移動させ、ここから塊となって地上に落下するので、高齢者や女性でも、 安全に且つ短時間で雪下ろしすることができる。またワイヤーやロープを離すと枠体が弾性を有する可撓性材料で形成されているので、その弾性により平面状に復帰する。
【００１５】
また積もった雪の底部がネットの編み目に食い込んでいるので、雪止め作用があり、不意に屋根から落下するのを防止できる。更に屋根雪下ろし装置は構造が簡単で且つ軽量であるので、屋根に負担が掛からず通年設置が可能であり、またワイヤーやロープを引っ張って屋根雪下ろし装置を持ち上げて屋根から離すことができるので屋根の補修や塗装も容易に行なうことができる。
【００１６】
また請求項２記載の屋根雪下ろし装置によれば、枠体の先端に立上り部が形成され、ここにワイヤーやロープが連結され、屋根の傾斜も利用しているので、 枠体を湾曲させる時の初動の力が少なくて済み、力のない高齢者や女性でも、 短時間で効率良く雪下ろしすることができる。
【００１７】
また請求項３記載の屋根雪下ろし装置によれば、立上り部の左右両側に滑車またはリングを取付けて、軒先側に固定した枠体の下方側に一端を連結したワイヤーやロープを前記滑車またはリングを通して折り返し、他端側を軒先から垂れ下げたので、ワイヤーやロープを引くと立上り部が引き上げられて枠体の上方側が湾曲して、雪を雪だるま状に巻き込みながら転がして軒先側に移動させ、ここから地上に塊を落下させる。この上方側が湾曲する時に、左右のワイヤーやロープも上昇するのでこの上に積もった雪を左右に切って分離し、この間の雪が更に落下し易くなる。更に滑車またはリングは動滑車として作用するのでワイヤーやロープを引く力が半分になる。
【００１８】
また請求項４記載の屋根雪下ろし装置によれば、軒先に沿ってパイプが取付けられているので、ネットや雨樋の損傷を防止しながらワイヤーやロープを、この上を滑らせて滑らかに引くことができる。
【００１９】
また請求項５記載の屋根雪下ろし装置によれば、２枚の屋根雪下ろし装置を併設し、その対向する枠体の縦方向側面の板材をヒンジで開閉自在に連結したもので、最も雪が溜る谷屋根に取付けて、この上に雪が溜ったら、ワイヤーやロープを引くと、上方側が湾曲して雪を効率よく落下させることができる。
【発明を実施するための最良の形態】
【００２０】
以下本発明の実施の一形態を図１ないし図５を参照して詳細に説明する。図において１は屋根雪下ろし装置を示すもので、塩化ビニールなどの弾性を有する可撓性材料で形成された板材２を縦横に組合せて平面長方形状の枠体３を形成し、この上にネット４を取付け、この枠体３の屋根の棟側に配置される上方側（図１の左側）に、立上り部５を形成して、この両側にワイヤー６をそれぞれ連結し、その下方で１本にしてワイヤー６の屋根１０の軒先１２側（図１の右側）に配置される他端にリング状の取っ手７を取付けたものである。
【００２１】
前記ネット４の編み目の大きさは例えば１０〜５０ｍｍが好ましく、また枠体３の幅は１〜２ｍ、長さは図３に示すように傾斜した屋根１０の棟１１から軒先１２までの長さに形成する。この場合、編み目の大きさが１０ｍｍ未満では雪止め効果が少なく、また５０ｍｍを超えると雪が編み目を通過して巻き込み効果が少ない。この屋根雪下ろし装置１の下方側を屋根１０の軒先１２にビスで固定し、棟１１の上方側はフリーな状態にしておく。また軒先１２の横方向に沿ってパイプ１３が取付けられているので、ワイヤー６はパイプ１３の上に接触してネット４と雨樋１７を跨ぐように垂れ下る。
【００２２】
上記構成の屋根雪下ろし装置は、図３に示すようにワイヤー６を引くと、フリーな状態の立上り部５が引き上げられて弾性を有する可撓性材料で形成された枠体３が湾曲して屋根１０から離れていく。またワイヤー６を離すと、弾性により平面状に復帰して屋根１０の上に敷いた状態となる。
【００２３】
この状態で、冬になって図４に示すように屋根雪下ろし装置１のネット４の上に雪１４が積もるが、雪１４の底部がネット４の編み目に食い込んでいるので、雪止め作用があり、不意に屋根１０から落下するのを防止できる。また３０〜５０ｃｍの積雪になったら、ワイヤー６の軒先１２に垂れ下がった先端の取っ手７に引下げフック１６を引っ掛けて下方に引く。
【００２４】
屋根雪下ろし装置１は先端に取付けたワイヤー６が引かれると、図５に示すようにフリーな状態の立上り部５が引き上げられて枠体３の上方側が湾曲して、雪１４を雪だるま状に巻き込みながらネット４の上を転がって軒先１２側に移動してここから地上に塊となって落下する。ワイヤー６は軒先１２から離れた所で引くことができるので軒先１２から落下する雪１４の塊に対して安全である。
【００２５】
このようにして屋根１０に併設した複数の屋根雪下ろし装置１のワイヤー６を順次引くことにより広い面積の雪下ろしを簡単に行なうことができる。傾斜が１０度で面積が２０平方メートルの屋根１０に３個の屋根雪下ろし装置１を並設した状態で、積雪が５０ｃｍになった時に屋根雪下ろし装置１を順次作動させると３回のワイヤー引き込み作業で、屋根１０の雪下ろしを約１５分程度で完了することができる。またワイヤー６を離すと枠体３が弾性を有する可撓性材料で形成されているので、その弾性により平面状に復帰する。また軒先１２に沿ってパイプ１３が取付けられているので、ネット４や雨樋１７の損傷を防止しながらワイヤー６はこの上を滑らかに引くことができる。
【００２６】
また屋根雪下ろし装置１の先端には立上り部５が形成され、ここにワイヤー６が連結され、屋根１０の傾斜も利用しているので、 初動の力が少なくて済み、高齢者や女性でも、 安全に且つ短時間で雪下ろしすることができる。また、積雪が３０ｃｍ程度になった時点でこまめに雪下ろし作業を行なえば、一度に大量の落雪にならず雪片付けも容易で、特に隣家との境界の雪片付けが容易である。
【００２７】
また屋根雪下ろし装置１は構造が簡単で且つ軽量であるので、屋根１０に負担が掛からず通年設置が可能であり、またワイヤー６を引っ張って屋根雪下ろし装置１を持ち上げて屋根１０から離すことができるので屋根１０の補修や塗装も容易に行なうことができる。また屋根１０の塗装が例えば茶色の場合、枠体３やネット４も茶色に着色すれば屋根１０の景観を損なうことがない。
【００２８】
また上記説明では引下げフック１６を手に持って手動でワイヤー６を引っ張る場合について説明したが、手動や電動のウインチを用いてワイヤー６を引っ張っても良い。
【００２９】
図６ないし図８は本発明の他の実施の形態を示すもので、立上り部５の左右に滑車１８を取付け、ワイヤー６ａ、６ｂの先端を軒先１２側の枠体３の左右に固定し、中間を前記滑車１８を通して折り返し、その下方で１本にしてワイヤー６の軒先１２側にリング状の取っ手７を取付けたものである。
【００３０】
また滑車１８の下方のワイヤー６には巻き込み防止ストッパー１９が設けられ、これが滑車１８に達すると、軒先１２側のワイヤー６ａ、６ｂの先端と滑車１８との間の長さがこれ以上短くならないようになっている。また屋根雪下ろし装置１の縦方向の板材２の軒先１２側は、図８に示すようにネット４を貫通して逆Ｌ字形の押え金具２０で固定されて屋根１０に密着している。
【００３１】
上記構成の屋根雪下ろし装置１は図９に示すようにワイヤー６を引いていくと滑車１８を取付けた立上り部５が引き上げられて枠体３の上方側が湾曲して、雪１４を雪だるま状に巻き込みながらネット４の上を転がって軒先１２側に移動し、ここから地上に落下させる。この上方側が湾曲する時、左右のワイヤー６ａ、６ｂも上昇して、この上に積もった雪１４を左右に切って分離するので、この間の雪１４が更に落下し易くなる。
【００３２】
また左右のワイヤー６ａ、６ｂには巻き込み防止ストッパー１９が設けられているので、図９に示すようにこれが滑車１８に達するとこれ以上送られず、滑車１８と軒先１２側の固定部との間の距離が一定となると共に、押え金具２０で軒先１２側が押えられているので、屋根雪下ろし装置１は上方側が円弧状に湾曲した状態を維持しながら雪１４を巻き込んで下方に移動させるので効率よく軒下に落下させることができる。つまり巻き込み防止ストッパー１９と押え金具２０がないと仮想線で示すように屋根雪下ろし装置１が丸まって雪１４を包み込み、雪１４が残留して落下しないことがある。更に立上り部５に取付けた滑車１８は立上り部５側に荷重が加わるため動滑車として作用し、ワイヤー６を引く長さは倍になるがワイヤー６を引く力が半分で済む。
【００３３】
図１０は本発明の他の実施の形態を示すもので、枠体３を構成する縦方向の板材２の軒先１２側を分離して、ここをヒンジ２１で回動自在に連結したものである。これは屋根１０の補修や塗装する場合、ヒンジ２１の部分で屋根雪下ろし装置１の上部側を折り曲げたりヒンジ２１を取外すことにより屋根１０が露出して作業が容易となる、
【００３４】
図１１は本発明の異なる他の実施の形態を示すもので、最も雪１４が溜る谷屋根１０に取付けたものである。これは２枚の屋根雪下ろし装置１を併設し、その対向する枠体３の縦方向側面の板材２をヒンジ２１で開閉自在に連結したものである。この屋根雪下ろし装置１はこの上に雪１４が溜ったら、取っ手７を両手で持って両方のワイヤー６を引くと、前述と同様に上方側が湾曲して雪１４を効率よく落下させることができる。  
【００３５】
また枠体３の形状は平面正方形状でも良い。なお本発明の屋根雪下ろし装置１はトタン屋根や瓦屋根だけではなくカーポー卜の屋根やソーラーパネル上にも設置が可能である。特に大量の雪１４の塊が一度に遠くまで落下するソーラーパネルの雪止めには効果的である。また滑車１８の代わりにワイヤー６が通るリングを取付けても良い。また上記説明ではワイヤー６を用いた場合について示したが、本発明はこれに限らずロープを用いても良い。また立上り部５は枠体３を構成する縦方向の板材２を上方に折り曲げて一体に形成しても良い。また使用しない時に軒先１２に垂れ下がった取っ手７が風で揺れて衝突音が発生しないように振れ止めフックに掛けておく。
【図面の簡単な説明】
【００３６】
【図１】本発明の実施の一形態による屋根雪下ろし装置の平面図である。
【図２】図１に示す屋根雪下ろし装置の側面図である。
【図３】図１に示す屋根雪下ろし装置を屋根の上に３枚並設した状態を示す斜視図である。
【図４】屋根の上に設置した屋根雪下ろし装置に積雪した状態を示す側面図である。
【図５】図４の屋根雪下ろし装置に積雪した雪を、ワイヤーを引っ張って雪下ろししている状態を示す側面図である。
【図６】本発明の他の実施の形態による屋根雪下ろし装置の平面図である。
【図７】図６に示す屋根雪下ろし装置の側面図である。
【図８】図６に示す屋根雪下ろし装置を屋根の上に３枚並設した状態を示す斜視図である。
【図９】屋根雪下ろし装置に積雪した雪を、ワイヤーを引っ張って雪下ろししている状態を示す側面図である。
【図１０】本発明の他の実施の形態による屋根雪下ろし装置の側面図である。
【図１１】本発明の異なる他の実施の形態による谷屋根に屋根雪下ろし装置を設置した状態を示す正面図である。
【符号の説明】
【００３７】
１    屋根雪下ろし装置                                      
２    板材    
３    枠体        
４    ネット    
５    立上り部    
６    ワイヤー      
７    取っ手    
１０  屋根      
１１  棟        
１２  軒先          
１３  パイプ      
１４  雪          
１５  パイプ      
１６  引下げフック    
１７  雨樋      
１８  滑車      
１９  巻き込み防止ストッパー
２０  押え金具      
２１  ヒンジ
【要約】
【課題】構造が簡単でどんな形状の屋根にも設置が可能な上、設備費も安価で耐久性に優れ、屋根に登らずに高齢者や女性でも簡単に雪下ろし作業を効率良く行なえ、しかも雪を保持することにより不意の落雪を防止することができる屋根雪下ろし装置を提供するものである。
【解決手段】弾性を有する可撓性材料で形成された平面四角形状の枠体３の表面にネット４を取付け、傾斜した屋根１０に配置された前記枠体３の下方側を軒先１２側に固定し、枠体３の上方側を棟１１側に配置し、この枠体３の上方側にワイヤー６を連結し、この下部側を軒先２から垂れ下げて屋根１０に設置した構成をなし、ネット４上に積雪した状態で、ワイヤー６の下端を引くことにより枠体３と一体にネット４を引き上げて湾曲させ、この上の雪１４を巻き込みながら落下させるものである。
【選択図】  図３【図１】
0005671185.tif 000002
【図２】
0005671185.tif 000003
【図３】
0005671185.tif 000004
【図４】
0005671185.tif 000005
【図５】
0005671185.tif 000006
【図６】
0005671185.tif 000007
【図７】
0005671185.tif 000008
【図８】
0005671185.tif 000009
【図９】
0005671185.tif 000010
【図１０】
0005671185.tif 000011
【図１１】
0005671185.tif 000012